(57)【特許請求の範囲】
【請求項１】
室外側熱交換器の着霜状態を検出する着霜検出手段と、入りタイマー予約設定により暖房運転を開始できるタイマー設定手段を設け、前記タイマー設定手段で設定された暖房運転開始時刻（タイムアップ時刻）よりも所定時間前に、除霜運転の判定を行うための除霜検知暖房運転を所定時間行い、その後前記着霜検出手段により前記室外側熱交換器の着霜の有無を検出し、着霜状態であれば除霜運転を行った後に暖房予備運転を前記タイムアップ時刻まで行いタイムアップの後、暖房運転を開始するようにした空気調和機の運転制御装置であって、室外側の外気温度を検出するための外気温度検出手段を設け、さらに前記外気温度検出手段により検出された外気温度の温度値により、除霜検知暖房運転開始時刻を選択するための除霜検知暖房運転開始時刻選択手段を設けてなる空気調和機の運転制御装置。
【請求項２】
室外側熱交換器の着霜状態を検出する着霜検出手段と、入りタイマー予約設定により暖房運転を開始できるタイマー設定手段を設け、前記タイマー設定手段で設定された暖房運転開始時刻（タイムアップ時刻）よりも所定時間前に、除霜運転の判定を行うための除霜検知暖房運転を所定時間行い、その後前記着霜検出手段により前記室外側熱交換器の着霜の有無を検出し、着霜状態であれば除霜運転を行った後に暖房予備運転を前記タイムアップ時刻まで行いタイムアップの後、暖房運転を開始するようにした空気調和機の運転制御装置であって、室内側の暖房温度を設定するための暖房温度設定手段と、室内温度を検出するための室内側吸い込み温度検出手段を設け、さらに前記暖房温度設定手段により設定された暖房設定温度と前記室内側吸い込み温度検出手段により検出された室内側吸い込み温度の温度差の値により、除霜検知暖房運転開始時刻を選択するための除霜検知暖房運転開始時刻選択手段を設けてなる空気調和機の運転制御装置。
【請求項３】
室外側熱交換器の着霜状態を検出する着霜検出手段と、切りタイマー予約設定により暖房運転を停止できるタイマー設定手段を設け、前記タイマー設定手段により暖房運転停止時刻（タイムアップ時刻）の所定時間前に、前記着霜検出手段により前記室外側熱交換器の着霜の有無を検出し、着霜状態であれば除霜運転を行った後に運転を停止するようにした空気調和機の運転制御装置。
【発明の詳細な説明】
【０００１】
【発明の属する技術分野】
本発明は空気調和機に係わり、さらに詳しくはタイマー設定により暖房運転を開始あるいは停止させる場合の運転制御装置に関するものである。
【０００２】
【従来の技術】
従来、室外側熱交換器の着霜状態を検出する着霜検出手段を有し、入りタイマー予約設定により暖房運転を開始できる空気調和機の運転制御装置としては、例えば特開昭５８−６２４４３号公報に開示されている。
【０００３】
即ち、入りタイマー予約設定によるタイマー運転を行う場合は、前記タイマー運転による運転開始信号入力時に室外側熱交換器の除霜運転を行った後に、暖房運転を開始する制御装置を設けて、タイマー運転による暖房運転開始時には、最初に除霜運転を行い室外熱交換器の着霜を取り除いてから暖房運転を開始するものであった。
【０００４】
また、特開平３−２１７７４３号公報に開示されている空気調和機の運転制御装置としては、室外側熱交換器の着霜状態を検出する着霜検出手段を有し、タイマー設定により暖房運転を開始できる空気調和機において、タイマー設定による暖房運転開始時刻前に、室外側熱交換器の着霜の有無を検出し、着霜状態であれば除霜運転を行い室外熱交換器の着霜を取り除いてから暖房運転を開始するものであった。
【０００５】
【発明が解決しようとする課題】
しかしながら、冬期における空気調和機の暖房運転においては、例えば前夜運転時にあと数分で除霜運転が開始される状態まで室外熱交換器の着霜が進行した状態で運転停止されると、翌朝タイマー設定により暖房運転を開始した場合は、夜間に外気温度がかなり上昇しない限り、霜が多量に室外熱交換器に残ったままで暖房の立ち上げ運転が開始される。
【０００６】
この結果、特にタイマーによる予約設定で暖房運転を実施する場合は、予約設定した暖房運転開始時刻においては、外気温度が低ければ低いほど速い暖房立ち上げが望まれるものであるが、暖房運転開始時刻直前あるいは直後に、外気条件にもよるが10分程度の除霜運転が入り、この間は室温の上昇が無いため益々暖房立ち上げが鈍くなり、タイマーで予約設定した暖房運転開始時刻における速い暖房立ち上げが実施されないという課題があった。
【０００７】
本発明は、これらの課題について、タイマーで設定した暖房運転開始時刻において速い暖房立ち上げを実現して、暖房立ち上げ時の採暖性の向上を図れる空気調和機の運転制御装置を提供することを目的とするものである。
【０００８】
【課題を解決するための手段】
上記課題を解決するために、本発明の請求項１記載の発明は、室外側熱交換器の着霜状態を検出する着霜検出手段と、入りタイマー予約設定により暖房運転を開始できるタイマー設定手段を設け、前記タイマー設定手段で設定された暖房運転開始時刻（タイムアップ時刻）よりも所定時間前に、除霜運転の判定を行うための除霜検知暖房運転を所定時間行い、その後前記着霜検出手段により前記室外側熱交換器の着霜の有無を検出し、着霜状態であれば除霜運転を行った後に暖房予備運転を前記タイムアップ時刻まで行い、タイムアップの後暖房運転を開始するようにしたものであって、室外側の外気温度を検出するための外気温度検出手段を設け、さらに前記外気温度検出手段により検出された外気温度の検出値により、除霜検知暖房運転開始時刻を選択するための除霜検知暖房運転開始時刻選択手段を設けたものである。
【００１１】
この制御により、タイマーで設定した暖房運転開始時刻（タイムアップ時刻）においては、すでに除霜制御が終了して暖房予備運転が実施され、外気温度が低い場合においてもリモコンによる暖房設定温度にほぼ近い室温まで上昇しているので、暖房運転開始時刻のタイムアップ時点では速い暖房立ち上げが実施され、外気温度が低い場合においても暖房立ち上げ時の採暖性の向上が実現できる。
【００１２】
また請求項２記載の発明は、室外側熱交換器の着霜状態を検出する着霜検出手段と、入りタイマー予約設定により暖房運転を開始できるタイマー設定手段を設け、前記タイマー設定手段で設定された暖房運転開始時刻（タイムアップ時刻）よりも所定時間前に、除霜運転の判定を行うための除霜検知暖房運転を所定時間行い、その後前記着霜検出手段により前記室外側熱交換器の着霜の有無を検出し、着霜状態であれば除霜運転を行った後に暖房予備運転を前記タイムアップ時刻まで行い、タイムアップの後暖房運転を開始するようにしたものであって、室内側の暖房温度を設定するための暖房温度設定手段と、室内温度を検出するための室内側吸い込み温度検出手段を設け、さらに前記暖房温度設定手段により設定された暖房設定温度と前記室内側吸い込み温度検出手段により検出された室内側吸い込み温度の温度差の値により、除霜検知暖房運転開始時刻を選択するための除霜検知暖房運転開始時刻選択手段を設けた。
【００１３】
この制御により、タイマーで設定した暖房運転開始時刻（タイムアップ時刻）においては、すでに除霜制御が終了して暖房予備運転が開始され、前記暖房設定温度と前記室内側吸い込み温度の温度差が大きい場合においても、リモコンによる暖房設定温度にほぼ近い室温まで上昇しているので、暖房運転開始時刻のタイムアップ時点では速い暖房立ち上げが実施され、前記温度差が大きい場合においても暖房立ち上げ時の採暖性の向上が実現できる。
【００１４】
また請求項３記載の発明は、室外側熱交換器の着霜状態を検出する着霜検出手段と、切りタイマー予約設定により暖房運転を停止できるタイマー設定手段を設け、前記タイマー設定手段による暖房運転停止時刻（タイムアップ時刻）の所定時間前に、前記着霜検出手段により前記室外側熱交換器の着霜の有無を検出し、着霜状態であれば除霜運転を行った後に運転を停止するようにした。
【００１５】
この制御により、次回の暖房運転立ち上げ時点においては室外熱交換器への着霜がない状態で、暖房立ち上げが実施されるので採暖性の向上が実現できる。
【００１６】
【発明の実施の形態】
以下、本発明の実施の形態について図１〜図５を用いて説明する。
【００１７】
図１は本発明の空気調和機の、制御系の概略を示すブロック図であり、１は室内ユニット、２は室外ユニット、３はリモコン、４は電源である。
【００１８】
室内ユニット１側に配置されたリモコン３は、空気調和機の運転および停止手段と、室内側の冷房および暖房温度設定手段、および空気調和機の運転停止時刻の予約設定可能なタイマー設定手段等を設けている。
【００１９】
また室内制御部５は、前記リモコン３で設定された暖房温度や運転信号が入ると、室内センサー部６（室内側吸い込み温度検出手段）から送られてくる室内側吸い込み温度等を読み込み、運転条件を指令する。
【００２０】
室内制御部５によって行われるこの運転指令は二系統あって、一つは室内ファンモーター７を制御し、もう一つは室外ユニット２のシステム制御部８に運転条件信号を送る。
【００２１】
この信号を受けたシステム制御部８は、室外の外気温度検出手段として用いられる温度センサーと室外側熱交換器（図示せず）の着霜検出手段として用いられる温度センサーを有する室外センサー部９から、情報を得ながら圧縮機１０の運転周波数を決め、波形合成制御部１１を通してインバータ部１２を制御し、このインバータ部１２は前記のコンバータ部１３から出力される直流電力を、三相の交流電力に変換して前記圧縮機１０を駆動している。
【００２２】
また、システム制御部８は室外ファンモーター１４のＯＮ／ＯＦＦ指令や、冷房時と暖房時、あるいは除霜運転のとき冷凍サイクルを切り替える四方弁１５に指令を出している。
【００２３】
前記室内制御部５とシステム制御部８は空気調和機の運転中、常に信号のやり取りを行い、室内制御部５が指令した運転条件をシステム制御部８が判読実行し、現在の運転状態を室内制御部５に返信し、表示部１６では運転状況に何らかの異常があれば点滅して知らせるように制御されている。
【００２４】
そして本発明においては、前記リモコン３により入りタイマーで設定された暖房運転開始時刻（タイムアップ時刻）よりも所定時間前に、例えば約５０分前に除霜運転の判定を行うための除霜検知暖房運転を所定時間例えば約１５分間行い、その後、着霜検出手段として室外側熱交換器の配管に配置された前記室外センサー部９により室外側熱交換器の着霜の有無を検出し、着霜状態であれば除霜運転を行った後、約1分間運転停止後に前記四方弁等を暖房運転に切り替えて、前記入りタイマーで設定された前記タイムアップ時刻まで暖房予備運転を行い、タイムアップ後、通常の暖房運転を開始するプログラムが設定されている。
【００２５】
通常の暖房運転に入ると、前記室外センサー部９により常時着霜検知が実施され着霜状態が検出され次第除霜運転が実施される。
【００２６】
この制御を図２のフローチャートを用いて詳述する。
【００２７】
まず、ステップＳ１では前記リモコン３により暖房運転条件等が設定され、ステップＳ２で運転開始時刻（入りタイマー設定時刻）が設定される。
【００２８】
ステップＳ３では、例えばステップＳ２で設定された暖房運転開始時刻の約５０分前を、前記室外センサー部９による除霜検知暖房運転開始時刻としておき、その時刻になったらステップＳ４に進み約15分間の除霜検知暖房運転を実施して、その後に前記室外センサー部９により室外側熱交換器の配管温度を検出する。
【００２９】
ステップＳ５では、ステップＳ４で検出された温度値により、前記室外側熱交換器が着霜状態であるか否かを判定し、除霜運転を要しない場合にはステップＳ９に進行して、先にステップＳ２で設定した暖房運転の開始時刻まで暖房予備運転を実施する。
【００３０】
そしてステップＳ１０でタイムアップ時刻を判定してタイムアップならステップＳ１１に進行し暖房運転を開始する。
【００３１】
もし、前記ステップＳ５で室外側熱交換器が着霜状態になっていると判定され、除霜運転が必要であればステップＳ６で除霜運転が開始される。
【００３２】
ステップＳ７では、前記室外側熱交換器の配管温度が所定値まで上昇すれば除霜運転を終了し、先にステップＳ２で設定したタイムアップ時刻まで暖房予備運転を実施する。
【００３３】
そしてステップＳ１０でタイムアップ時刻を判定してタイムアップならステップＳ１１に進行し通常の暖房運転を開始する。
【００３４】
上記制御により、タイマーで設定した暖房運転開始時刻（タイムアップ時刻）においては、すでに除霜制御が終了して暖房予備運転が実施され、前記リモコン３による暖房設定温度にほぼ近い室温まで上昇しているので、暖房運転開始時刻のタイムアップ時点では速い暖房立ち上げが実施され、暖房立ち上げ時の採暖性の向上が実現できる。
【００３５】
なお、本実施の形態では除霜検知暖房運転を約１５分として、また除霜検知暖房運転開始から暖房運転開始までを約５０分として説明したが、空気調和機の性能によりこの値は実験値により最適値が決定されるものである。
【００３６】
また、前記室外センサー部９により検出された外気温度が低い場合は、前記外気温度の値により、除霜検知暖房運転開始から暖房運転開始（タイムアップ時刻）までの時間を長くすることにより、より暖房立ち上げ時の採暖性の向上が実現できる。
【００３７】
この制御を図３のフローチャートを用いて詳述する。
【００３８】
まず、ステップＳ１０１では前記リモコン３により暖房運転条件等が設定され、ステップＳ１０２で運転開始時刻（入りタイマー設定時刻）が設定される。
【００３９】
次にステップＳ１０３で外気温度の検出が前記室外センサー部９により実施される。
【００４０】
この検出動作は後述のステップＳ１０５の除霜検知暖房運転開始時刻ＩＩの検出動作直前に実施するように設定されている。
【００４１】
そして、例えば外気温度が−３℃以上ならばステップＳ１０４に進んで除霜検知暖房運転開始時刻Ｉが選択される。
【００４２】
例えばステップＳ１０２で設定された暖房運転開始時刻の５０分前を、前記室外センサー部９による除霜検知暖房運転開始時刻としておき、その時刻になったらステップＳ１０６に進み約15分間の除霜検知暖房運転を実施して、その後に前記室外センサー部９により室外側熱交換器の配管温度を検出する。
【００４３】
また、外気温度が−３℃未満ならばステップ１０５に進んで除霜検知暖房運転開始時刻ＩＩが選択される。
【００４４】
例えばステップＳ１０２で設定された暖房運転開始時刻（タイムアップ時刻）の約８０分前を、前記室外センサー部９による除霜検知暖房運転開始時刻としておき、その時刻になったらステップＳ１０６に進み約15分間の除霜検知暖房運転を実施して、その後に前記室外センサー部９により室外側熱交換器の配管温度を検出する。
【００４５】
ステップＳ１０７では、ステップＳ１０６で検出された温度値により、前記室外側熱交換器が着霜状態であるか否かを判定し、除霜運転を要しない場合にはステップＳ１１１に進行して、先にステップＳ１０２で設定した暖房運転開始時刻まで暖房予備運転を実施する。
【００４６】
そしてステップＳ１１２でタイムアップ時刻を判定してタイムアップならステップＳ１１３に進行し暖房運転を開始する。
【００４７】
もし、前記ステップＳ１０７で室外側熱交換器が着霜状態になっていると判定され、除霜運転が必要であればステップＳ１０８で除霜運転が開始される。
【００４８】
ステップＳ１０９では、前記室外側熱交換器の配管温度が所定値まで上昇すればステップＳ１１０に進み除霜運転を終了し、先にステップＳ１０２で設定したタイムアップ時刻まで暖房予備運転を実施する。
【００４９】
そしてステップＳ１１２でタイムアップ時刻を判定してタイムアップならステップＳ１１３に進行し通常の暖房運転を開始する。
【００５０】
なお、上記の除霜検知暖房運転開始時刻Ｉ、ＩＩの選択（ステップＳ１０３）は除霜検知暖房運転開始時刻選択手段により実行され、前記除霜検知暖房運転開始時刻選択手段は室外ユニット２に設けたシステム制御部８に含めて配設することで実現される。
【００５１】
また、除霜検知暖房運転開始時刻選択手段の外気温度のしきい値を複数に増やし、除霜検知暖房運転開始時刻もＩＩＩ、ＩＶ…と増やして制御することも勿論可能である。
【００５２】
上記制御により、タイマーで設定した暖房運転開始時刻（タイムアップ時刻）においては、すでに除霜制御が終了して暖房予備運転が実施され、外気温度が低い場合においても前記リモコン３による暖房設定温度にほぼ近い室温まで上昇しているので、暖房運転開始時刻のタイムアップ時点では速い暖房立ち上げが実施され、暖房立ち上げ時の採暖性の向上が実現できる。
【００５３】
なお、本実施の形態では除霜検知暖房運転を約１５分として、また除霜検知暖房運転開始から暖房運転開始までを約５０分および約８０分として説明したが、空気調和機の性能によりこの値は実験値により最適値が決定されるものである。
【００５４】
また、室内側の前記リモコン３により設定された暖房設定温度Ｔ１と、前記室内センサー部６により検出された室内側吸込み温度Ｔ２の温度差ΔＴ（＝Ｔ１−Ｔ２）が大きい場合は、前記温度差ΔＴの値により、除霜検知暖房運転開始から暖房運転開始（タイムアップ時刻）までの時間を長くすることにより、より暖房立ち上げ時の採暖性の向上が実現できる。
【００５５】
この制御を図４のフローチャートを用いて詳述する。
【００５６】
まず、ステップＳ２０１では前記リモコン３により暖房運転条件等が設定され、ステップＳ２０２で運転開始時刻（入りタイマー設定時刻）が設定される。
【００５７】
次にステップＳ２０３で前記温度差ΔＴ（＝Ｔ１−Ｔ２）が検出演算される。この検出演算の動作は後述のステップＳ２０５の除霜検知暖房運転開始時刻ＩＩの検出動作直前に実施される。
【００５８】
そして、例えば前記温度差ΔＴ（＝Ｔ１−Ｔ２）が１５℃未満ならばステップ２０４に進んで除霜検知暖房運転開始時刻Ｉが選択される。
【００５９】
例えばステップＳ２０２で設定された暖房運転開始時刻の５０分前を、前記室外センサー部９による除霜検知暖房運転開始時刻としておき、その時刻になったらステップＳ２０６に進み約15分間の除霜検知暖房運転を実施して、その後に前記室外センサー部９により室外側熱交換器の配管温度を検出する。
【００６０】
また、温度差ΔＴ（＝Ｔ１−Ｔ２）が１５℃以上ならばステップ２０５に進んで除霜検知暖房運転開始時刻ＩＩが選択される。
【００６１】
例えばステップＳ２０２で設定された暖房運転開始時刻（タイムアップ時刻）の約８０分前を、前記室外センサー部９による除霜検知暖房運転開始時刻としておき、その時刻になったらステップＳ２０６に進み約15分間の除霜検知暖房運転を実施して、その後に前記室外センサー部９により室外側熱交換器の配管温度を検出する。
【００６２】
ステップＳ２０７では、ステップＳ２０６で検出された温度値により、前記室外側熱交換器が着霜状態であるか否かを判定し、除霜運転を要しない場合にはステップＳ２１１に進行して、先にステップＳ２０２で設定した暖房運転開始時刻まで暖房予備運転を実施する。
【００６３】
そしてステップＳ２１２でタイムアップ時刻を判定して、タイムアップならステップＳ２１３に進行し暖房運転を開始する。
【００６４】
もし、前記ステップＳ２０７で室外側熱交換器が着霜状態になっていると判定され、除霜運転が必要であればステップＳ２０８で除霜運転が開始される。
【００６５】
ステップＳ２０９では、前記室外側熱交換器の配管温度が所定値まで上昇すればＳ２１０に進み除霜運転を終了し、その後ステップＳ２１１に進行して先にステップＳ２０２で設定したタイムアップ時刻まで暖房予備運転を実施する。
【００６６】
そしてステップＳ２１２でタイムアップ時刻を判定してタイムアップならステップＳ２１３に進行し通常の暖房運転を開始する。
【００６７】
なお、上記の除霜検知暖房運転開始時刻Ｉ、ＩＩの選択（ステップＳ２０３）は除霜検知暖房運転開始時刻選択手段により実行され、前記除霜検知暖房運転開始時刻選択手段は室内ユニット１に設けた室内制御部５に含めて配設することで実現される。
【００６８】
また、除霜検知暖房運転開始時刻選択手段の温度差ΔＴのしきい値を複数に増やし、除霜検知暖房運転開始時刻もＩＩＩ、ＩＶ…と増やして制御することも勿論可能である。
【００６９】
上記制御により、タイマーで設定した暖房運転開始時刻（タイムアップ時刻）においては、すでに除霜制御が終了して暖房予備運転が実施され、前記温度差ΔＴ（＝Ｔ１−Ｔ２）が大きい場合においてもリモコン３による暖房設定温度にほぼ近い室温まで上昇しているので、暖房運転開始時刻のタイムアップ時点では速い暖房立ち上げが実施され、前記温度差ΔＴ（＝Ｔ１−Ｔ２）が大きい場合においても、暖房立ち上げ時の採暖性の向上が実現できる。
【００７０】
なお、本実施の形態では除霜検知暖房運転を約１５分として、また除霜検知暖房運転開始から暖房運転開始までを約５０分および約８０分として説明したが、空気調和機の性能によりこの値は実験値により最適値が決定されるものである。
【００７１】
また、室外側熱交換器の着霜状態を検出する着霜検出手段を設け、さらに、切りタイマー予約設定により暖房運転を停止できるタイマ−設定手段を設け、前記タイマ−設定手段による暖房運転停止時刻（タイムアップ時刻）の所定時間前に、前記着霜検出手段により前記室外側熱交換器の着霜の有無を検出し、着霜状態であればタイムアップ前に、除霜運転を行った後に運転停止することにより、次回の暖房運転立ち上げ時の採暖性の向上が実現できる。
【００７２】
この制御を図５のフローチャートを用いて詳述する。
【００７３】
図５において、ステップＳ３０１では前記リモコン３により暖房運転条件等が設定され、ステップＳ３０２で暖房運転停止時刻が設定される。
【００７４】
ステップＳ３０３では、例えば前記ステップＳ３０２で設定された暖房運転停止時刻（タイムアップ時刻）の所定時間、例えば約２０分前を前記室外センサー部９による室外熱交換器の温度検出開始時刻としておき、その時刻になったら前記室外センサー部９により室外側熱交換器の温度を検出する。
【００７５】
ステップＳ３０４では、ステップＳ３０３で検出された温度値により、前記室外側熱交換器が着霜状態であるか否かを判定し、除霜運転を要しない場合にはステップＳ３０８に進行して、先にステップＳ３０２で設定したタイムアップ時刻まで待機し、タイムアップになるとステップＳ３０９に進行し、暖房運転を停止する。
【００７６】
もし、前記ステップＳ３０４で室外側熱交換器が着霜状態になっていると判定され、除霜運転が必要であれば、ステップＳ３０５で除霜運転が開始され、ステップＳ３０６では前記室外側熱交換器の配管温度が所定値まで上昇すれば除霜運転を終了する。
【００７７】
ステップＳ３０７では除霜終了を確認すると四方弁１４等を暖房運転側に切り替え、先にステップＳ３０２で設定したタイムアップ時刻まで待機し、タイムアップになるとステップＳ３０９に進行して暖房運転を停止する。
【００７８】
上記制御により、次回の暖房運転立ち上げ時点においては室外熱交換器への着霜がない状態で、暖房立ち上げが実施されるので採暖性の向上が実現できる。
【００７９】
【発明の効果】
本発明は以上説明したような形態で実施され、以下に記載するような効果を奏する。
【００８０】
請求項１記載の発明は、室外側熱交換器の着霜状態を検出する着霜検出手段と、入りタイマー予約設定により暖房運転を開始できるタイマー設定手段を設け、前記タイマー設定手段で設定された暖房運転開始時刻（タイムアップ時刻）よりも所定時間前に、除霜運転の判定を行うための除霜検知暖房運転を所定時間行い、その後前記着霜検出手段により前記室外側熱交換器の着霜の有無を検出し、着霜状態であれば除霜運転を行った後に暖房予備運転を前記タイムアップ時刻まで行い、タイムアップの後暖房運転を開始するようにして、室外側の外気温度を検出するための外気温度検出手段を設け、さらに前記外気温度検出手段により検出された外気温度の検出値により、除霜検知暖房運転開始時刻を選択するための除霜検知暖房運転開始時刻選択手段を設けたので、タイマーで設定した暖房運転開始時刻（タイムアップ時刻）においては、すでに除霜制御が終了して暖房予備運転が実施され、外気温度が低い場合においても前記リモコンによる暖房設定温度にほぼ近い室温まで上昇しているので、暖房運転開始時刻のタイムアップ時点では速い暖房立ち上げが実施
され、外気温度が低い場合においても暖房立ち上げ時の採暖性の向上が実現できる。
【００８２】
また、請求項２記載の発明は、室内側の暖房温度設定手段と、室内温度を検出するための室内側吸い込み温度検出手段を設け、さらに前記暖房温度設定手段により設定された暖房設定温度と、前記室内側吸い込み温度検出手段により検出された室内側吸い込み温度の温度差の値により、除霜検知暖房運転開始時刻を選択するための除霜検知暖房運転開始時刻選択手段を設けたので、タイマーで設定した暖房運転開始時刻（タイムアップ時刻）においては、すでに除霜制御が終了して暖房予備運転が開始され、前記暖房設定温度と前記室内側吸い込み温度の温度差が大きい場合においても、リモコンによる暖房設定温度にほぼ近い室温まで上昇しているので、暖房運転開始時刻のタイムアップ時点では速い暖房立ち上げが実施され、前記温度差が大きい場合においても暖房立ち上げ時の採暖性の向上が実現できる。
【００８３】
また、請求項３記載の発明は、室外側熱交換器の着霜状態を検出する着霜検出手段と、切りタイマー予約設定により暖房運転を停止できるタイマー設定手段を設け、前記タイマー設定手段による暖房運転停止時刻（タイムアップ時刻）の所定時間前に、前記着霜検出手段により前記室外側熱交換器の着霜の有無を検出し、着霜状態であれば除霜運転を行った後に運転を停止するようにしたので、次回の暖房運転立ち上げ時点においては室外熱交換器への着霜がない状態で、暖房立ち上げが実施されるので採暖性の向上が実現できる。
【図面の簡単な説明】
【図１】本発明の実施の形態における空気調和機の制御ブロック図
【図２】本発明の実施の形態における運転制御装置の制御フローチャート
【図３】本発明の実施の形態における他の運転制御装置の制御フローチャート
【図４】本発明の実施の形態における他の運転制御装置の制御フローチャート
【図５】本発明の実施の形態における他の運転制御装置の制御フローチャート
【符号の説明】
１  室内ユニット
２  室外ユニット
３  リモコン
５  室内制御部
６  室内センサー部
７  フアンモータ
８  システム制御部
９  室外センサー部
１０  圧縮機
１５  四方弁
【図１】
0003835102.tif 000002
【図２】
0003835102.tif 000003
【図３】
0003835102.tif 000004
【図４】
0003835102.tif 000005
【図５】
0003835102.tif 000006